(57)【要約】【課題】送風手段の効率的使用でキャビネット内の結露発生を確実に防止して、各種製品バリエーションに容易に対応し得ると共に、コストダウンと省エネ化を同時に図り得る家電収納棚を提供する。【解決手段】前面に開口部を有するキャビネットの背板の前方に遮蔽板を設けて背板と遮蔽板との間に空間を形成し、該空間の上部に送風口を設けると共に空間の下部に送風手段を配設し、該送風手段の作動により空間内を加圧した状態として送風口から開口部に向けてキャビネット内に送風することを特徴とする。前記送風口は、例えば遮蔽板の上端部と天板下面との間で幅方向の全域に亘って形成されたスリット状の開口であり、前記送風手段は、所定幅を有して遮蔽板の幅方向の略中央位置に１台配設される。【選択図】  図３
2004275246.tif 000002
【特許請求の範囲】
【請求項１】
左右一対の側壁、天板、底板及び背板で形成され、前面に開口部を備えたキャビネットを有し、該キャビネット内に家電製品が収納される家電収納棚であって、
前記背板の前方に遮蔽板を設けて背板と遮蔽板との間に空間を形成し、該空間の上部に送風口を設けると共に空間の下部に送風手段を配設し、該送風手段の作動により空間内を加圧した状態で前記送風口から開口部に向けてキャビネット内に送風することを特徴とする家電収納棚。
【請求項２】
前記空間は、前記送風口と遮蔽板下部の吸込口とがキャビネット内に連通する略密閉空間に形成されていることを特徴とする請求項１に記載の家電収納棚。
【請求項３】
前記送風口は、遮蔽板の上端部と天板内面との間で幅方向の全域に亘って形成されたスリット状の開口であることを特徴とする請求項１または２に記載の家電収納棚。
【請求項４】
前記送風手段は、所定幅を有して前記遮蔽板の幅方向の略中央位置に１台配設されていることを特徴とする請求項１ないし３のいずれかに記載の家電収納棚。
【請求項５】
前記空間には、その下部に送風手段からの送風を空間の幅方向全域に導く案内手段が配設されていることを特徴とする請求項１ないし４のいずれかに記載の家電収納棚。
【発明の詳細な説明】
【０００１】
【発明の属する技術分野】
本発明は、例えばシステムキッチン等の所定位置に配置され、そのキャビネット内部に電気炊飯器（ガス炊飯器）や電気ポット等の家電製品が収納される家電収納棚に関する。
【０００２】
【従来の技術】
従来、この種の家電収納棚としては、例えば特許文献１に開示されている。この家電収納棚は、図７及び図８に示すように、左右の側板１０３、１０４と天板１０５、底板１０６及び背板１０７で前面に開口部１０８を有する如く形成されたキャビネット１０２を有している。また、キャビネット１０２の背板１０７の前方には、背板１０７と所定の間隔を有すると共に底板１０６から所定高さ位置上方に遮蔽板１０９が配置されている。
【０００３】
さらに、遮蔽板１０９の上部には、横方向の例えば８本のスリット状の送風口１１０が形成されると共に、この送風口１１０の後方で遮蔽板１０９と背板１０７との間で形成される空間１１１の上端部内には、送風ファン１１２が側面視円弧形状の送風ガイド１１３を介して配設されている。そして、送風ファン１１２が作動することにより、図８の矢印イの如く、空間１１１の下部から吸い込んだ空気を送風口１１０からキャビネット１０２内の天板１０５の直下に吹き出すことにより、電気炊飯器等からの蒸気による天板１０５内面への結露を防止するようになっている。
【０００４】
【特許文献１】
特開平１０−１１５４４５号公報
【０００５】
【発明が解決しようとする課題】
しかしながら、このような家電収納棚１０１においては、送風ファン１１２の作動により天板１０５内面への結露が防止されて蒸気が発生する電気炊飯器等の家電製品を効率良く収納・使用することができるものの、家電収納棚１０１の幅方向の製品バリエーションを考慮した場合、キャビネット１０２の幅寸法に対して送風ファン１１２の幅寸法が狭いと、キャビネット１０２の天板１０５内面の全域に送風が行き渡らず、結露が残ってしまう場合がある。その結果、この結露を防止するために、送風ファン１１２をキャビネット１０２の幅方向に複数台連設することも考えられるが、この場合は、高価な送風ファン１１２を複数台使用しなければならず、家電収納棚１０１のコストアップを招くと共に省エネの面でも好ましくなく現実的でない。
【０００６】
本発明は、このような事情に鑑みてなされたもので、その目的は、送風手段の効率的使用でキャビネット内の結露発生を確実に防止して、各種製品バリエーションに容易に対応し得ると共に、コストダウンと省エネ化を同時に図り得る家電収納棚を提供することにある。
【０００７】
【課題を解決するための手段】
かかる目的を達成すべく、本発明のうち請求項１に記載の発明は、左右一対の側壁、天板、底板及び背板で形成され、前面に開口部を備えたキャビネットを有し、該キャビネット内に家電製品が収納される家電収納棚であって、前記背板の前方に遮蔽板を設けて背板と遮蔽板との間に空間を形成し、該空間の上部に送風口を設けると共に空間の下部に送風手段を配設し、該送風手段の作動により空間内を加圧した状態で前記送風口から開口部に向けてキャビネット内に送風することを特徴とする。
【０００８】
このように構成することにより、遮蔽板と背板とで形成される空間下部に配設された送風手段は、その作動による送風が空間内を加圧しつつ上方に流れて、空間の上部に設けられた送風口からキャビネット内に吹き出される。この時、送風口から炊き出される送風が、空間によって加圧状態とされていることから、空間内を満遍なく広がり送風口の全域から開口部に向けてキャビネット内に吹き出され、天板内面に沿ってキャビネットの開口部方向に流れる。これにより、天板内面部分に介在する電気炊飯器等からの蒸気がキャビネット外に効率的に排出され、天板内面への結露が確実に防止される。
【０００９】
そして、前記空間は、請求項２に記載の発明のように、前記送風口と遮蔽板下部の吸込口とがキャビネット内に連通する略密閉空間に形成されていることが好ましい。このように構成することにより、空間がその上部に設けられた送風口と下部に設けられた吸込口とでキャビネット内に連通するのみであることから、空間を略密閉空間とすることができて、送風手段による送風を空間によって良好に加圧状態としつつ送風口から確実に吹き出すことが可能となる。
【００１０】
また、前記送風口は、請求項３に記載の発明のように、遮蔽板の上端部と天板内面との間で幅方向の全域に亘って形成されたスリット状の開口であることが好ましい。このように構成することにより、送風手段による送風の吹出口が、遮蔽板と天板との間に形成されたスリット状の開口であることから、送風口のスリット幅を所定に設定することで、空間内で加圧状態とされた送風を開口の全域から開口部に向けてキャビネット内に確実かつ良好に吹き出すことが可能となる。
【００１１】
また、前記送風手段は、請求項４に記載の発明のように、所定幅を有して前記遮蔽板の幅方向の略中央位置に１台配設されていることが好ましい。このように構成することにより、送風手段が例えば最も幅の狭いキャビネットに対応した所定幅に設定され、この送風手段が遮蔽板の幅方向の略中央位置に１台配設されることから、各種幅寸法のキャビネットへ容易に対応し得ると共に、送風手段の使用個数を最小個数として、家電収納棚のコストダウンを図ったり消費電力を少なくして省エネ化が図れる。
【００１２】
また、前記空間には、請求項５に記載の発明のように、その下部に送風手段からの送風を空間の幅方向全域に導く案内手段が配設されていることが好ましい。このように構成することにより、空間の下部に案内手段が配設されていることから、送風手段の幅がキャビネット幅に比較して狭い場合等に、送風手段の両側に案内手段を配設することで、送風を空間の幅方向全域に効果的に導くことができて、空間内における良好な加圧状態が得られる。
【００１３】
【発明の実施の形態】
以下、本発明の実施の形態を図面に基づいて詳細に説明する。
図１〜図４は、本発明に係わる家電収納棚の一実施形態を示し、図１が該家電収納棚を使用したシステムキッチンの要部の斜視図、図２がその縦断面図、図３が家電収納棚の正面図、図４がその縦断面図である。
【００１４】
図１及び図２において、システムキッチン１は、家電ストッカー２と、この家電ストッカー２の左右幅方向の両側に配置された食器・食品ストッカー３、４等で構成されている。家電ストッカー２は、高さ方向の中央下部に配置された家電収納棚５を有し、この家電収納棚５の上部には電子レンジ１１が収納されるレンジ収納棚６が配置され、家電収納棚６の下部には図２の矢印ニ方向に引き出し可能なダストボックスワゴン７が収納配置されている。また、レンジ収納棚６の上部には、観音開き式の開閉扉を有する収納棚８が配置されている。
【００１５】
そして、前記家電収納棚５は、次のように構成されている。すなわち、図３及び図４に示すように、左右一対の側板１３、１４、天板１５、底板１６及び背板１７の組み付けにより前面に方形状の開口部１８を有するキャビネット１２を有し、このキャビネット１２の背板１７の前方には、遮蔽板１９が組み付け配置されている。この遮蔽板１９は、背板１７と所定間隔を有して垂直状態で平行に配置されると共に、その下端や側面等に設けた取付部１９ａが、底板１６の後端部上面や側板１３、１４の後端部内面にネジ、接着剤等で固定されることにより、背板１７の前方に所定の空間２０が形成されるようになっている。
【００１６】
また、遮蔽板１９の上端部１９ｂは後方に僅かに屈曲され、この上端部１９ｂと天板内面１５ａとの間に、キャビネット１２の左右幅方向の全域に亘って所定幅ｗのスリット状の送風口２１が形成され、また、背板１７の下端部で左右幅方向の中央位置には、複数個（図では４個）のスリット状の吸込口２２が形成されている。そして、遮蔽板１９の外周部がキャビネット１２の左右の側板１３、１４と底板１６に密着した状態で配置されることにより、前記空間２０が吸込口２２と送風口２１のみでキャビネット１２内に連通した略密閉空間とされている。
【００１７】
さらに、前記空間２０内で吸込口２２の後方には、送風手段としての送風ファン２３が配設されている。この送風ファン２３は、例えば横方向に所定寸法を有するクロスフローファン、シロッコファン等が使用され、複数枚のファン２３ａの軸に連結されたファンモータ２３ｂが電線２３ｃを介して制御盤（図示せず）に接続されている。また、キャビネット１２の背板１７の下部（あるいは側板１３、１４）の所定位置には、図１に示すように、電源コンセント２４が配設され、この電源コンセント２４には、底板１６上に収納された家電製品としての電気炊飯器９や電気ポット１０の電源コードが接続されるようになっている。
【００１８】
そして、この電源コンセント２４に接続された電気炊飯器９等の電源スイッチ（図示せず）のオン・オフが前記制御盤等で感知され、電源スイッチがオンした場合に、前記送風ファン２３のファンモータ２３ｂが自動的に回転してファン２３ａが所定方向（図４の矢印ロ方向）に回転し、その送風が矢印ハの如く流れて空間２０内から送風口２１を介して開口部１８に向けてキャビネット１２内に吹き出されるようになっている。なお、送風ファン２３のファンモータ２３ｂの回転数は、ファン２３ａの回転により空間２０内が所定圧力で加圧され得るように設定されている。
【００１９】
なお、前記レンジ収納棚６は、図１及び図２に示すように、家電収納棚５と同様の側板、天板、底板及び背板等からなるキャビネット２５を有し、例えば背板の上端部と天板とのコーナ部には電源コンセント２６が配設されている。また、前記食器・食品ストッカー３、４は、引き出しや開閉扉を有する各種形状の収納棚を有して、家電ストッカー２の左右幅方向の両側に配置されるが、この食器・食品ストッカー３、４の代わりに、例えばカウンターを有するカウンターストッカーやアルミ引戸を有するアルミ引戸ストッカー等の適宜のストッカーを配置することもできる。
【００２０】
この家電収納棚５によれば、電気炊飯器９や電気ポット１０等のようにキッチンで使用されかつ蒸気を発生する家電製品が、キャビネット１２の底板１６上に載置されて収納される。そして、例えば電気炊飯器９の電源スイッチがオンされると、電源コンセント２４に接続されている電線を流れる電流が前述した制御盤で感知され、この感知から例えば所定時間後に制御盤から送風ファン２３のファンモータ２３ｂに作動信号が出力されて、送風ファン２３のファン２３ａが回転する。
【００２１】
送風ファン２３のファン２３ａが回転すると、遮蔽板１９の下部に設けた吸込口２２からキャビネット１２内の空気が空間２０内に吸い込まれ、この空気が空間２０内を上昇して遮蔽板１９の上部の送風口２１から開口部１８に向けてキャビネット１２内に吹き出される。この時、送風ファン２３の回転数を空間２０の間隔や容積及び送風口２１の幅ｗに応じて所定値に設定することにより、送風ファン２３の回転で送風される風が空間２０内で加圧された状態となって、空間２０内の全域を満遍なく上方に流れ、スリット状の送風口２１から開口部１８に向けてキャビネット１２内に均一状態で炊き出される。
【００２２】
このキャビネット１２内に吹き出された送風は、所定圧で開口部１８に向けて前方に吹き出されて、キャビネット１２の天板内面１５ａに沿って前方に流れ、電気炊飯器９の作動で発生し天板内面１５ａの近傍に存在している蒸気を開口部１８からキャビネット１２外に排出させる。これにより、蒸気が天板内面１５ａ部分に滞留することがなくなって、電気炊飯器９の使用時の天板内面１５ａを乾燥状態とすることができ、天板内面１５ａへの結露の発生が防止される。なお、使用する家電製品が前記電気ポット１０の場合も電気炊飯器９の場合と全く同様にして、発生した蒸気が送風ファン２３からの送風によりキャビネット１２外に排出され、天板内面１５ａへの結露の発生が防止されることになる。
【００２３】
つまり、前記家電収納棚５の場合、略密閉した空間２０の下部に送風ファン２３を配設し、この送風ファン２３の作動により空間２０内を加圧状態としつつ、上部の送風口２１から乾燥した風を開口部１８に向けてキャビネット１２内に所定圧で吹き出すことで、天板内面１５ａ近傍の蒸気をキャビネット１２外に効率的に排出して、天板内面１５ａへの結露が防止されることになる。なお、以上の例においては、家電収納棚５のキャビネット１２の底板１６上に電気炊飯器７等の家電製品を固定的に収納する場合について説明したが、例えば底板１６を図２の二点鎖線ａで示すように、矢印ホの如く前方に引き出し可能に構成し、電気炊飯器９等の使用時に底板１６を前方に引き出して使用できる構成とすることも可能である。
【００２４】
このように、上記実施形態の家電収納棚５にあっては、キャビネット１２の背板１７の前方に遮蔽板１９を配置して背板１７と遮蔽板１９間に空間２０を形成すると共に、この空間２０の下部に送風ファン２３を配置し、この送風ファン２３からの送風により空間２０内を加圧状態としながら空間２０上部の送風口２１から風をキャビネット１２内に所定圧で吹き出すため、乾燥した風を空間２０内に満遍なく流しつつ送風口２１から吹き出すことができる。
【００２５】
特に、送風口２１の幅ｗや空間２０の間隔・容積に応じて送風ファン２３の回転数が、空間２０内で所定の加圧状態が得られるように予め設定されていることから、電気炊飯器９等の作動時に送風ファン２３を作動させて空間２０内に良好な加圧状態が得られ、送風口２１から所定圧の送風を天板内面１５ａに沿って吹き出すことが可能になり、例えば従来の構造に比較して送風ファン２３の回転数を低くした状態でも、天板内面１５ａの全域に送風することができる。
【００２６】
また、送風口２１が遮蔽板１９の上端部１９ｂと天板内面１５ａとによって形成されるスリット状の開口であるため、送風口２１を天板１５の幅方向の全域に亘って容易に形成することができ、従来のような部分的に形成された送風口１１０に比較して、天板内面１５ａの全域に亘り風を均一状態で吹き出すことができる。これらにより、遮蔽板１９の上部に形成した天板１５の幅と同一のスリット状の送風口２１からその全長に亘って風を均一に吹き出して、天板内面１５ａの近傍に存在する蒸気を開口部１８からキャビネット１２外に良好に排出できて、天板内面１５ａへの結露を確実に防止することが可能になる。
【００２７】
また、送風ファン２３が所定長さのクロスフローファン等で形成され遮蔽板１９の幅方向の略中央位置に１台配置されているため、送風ファン２３の設置個数を最小個数に設定して部品コストの低減化を図ることができると共に、送風ファン２３を作動させるための電力を少なくして省エネ化を図ることもできる。
【００２８】
また、遮蔽板１９の下部に電源コンセント２４が配設されているため、家電製品の収納設置を見栄え良く簡単に行うことができると共に、送風ファン２３の作動が家電製品の電源スイッチのオン・オフを感知して自動的に行われるため、送風ファン２３の操作が不要となって家電収納棚５を簡単に使用することができる。特に、家電製品の電源スイッチがオンしてから所定時間後に送風ファン２３を作動させるように構成することで、蒸気が発生する前に送風ファン２３を自動的に作動させることができて、送風ファン２３の効率的な運用を図ることができる。
【００２９】
さらに、背板１７の前面全域に遮蔽板１９が設けられているため、この遮蔽板１９が背板として視認され、キャビネット１２のデザイン性の低下が防止されると共に、小形の送風ファン２３の使用により空間２０の幅を小さくして、キャビネット１２の内部容積の低下を防止しつつ、電気炊飯器９や電気ポット１０等の複数の家電製品を効率的に収納することができる。
【００３０】
また、送風ファン２３がキャビネット１２の左右幅方向の略中央位置に１台配置されるため、左右の側板１３、１４の間隔寸法が異なるキャビネット１２にも容易に適用できて、家電ストッカー２の各種製品バリエーションの自由度を高めることができる。また、家電収納棚５の底板１６を引き出し可能に設けることにより、家電製品を前方に引き出して使用でき、これらのことから、操作性と使い勝手に優れた家電収納棚５を得ることができて、システムキッチン１等に効果的に使用することが可能となる。
【００３１】
図５と図６は、本発明に係わる家電収納棚のそれぞれ他の実施形態を示している。以下、上記実施形態と同一部位には同一符号を付して説明する。先ず、図５に示す実施形態の家電収納棚５の特徴は、送風ファン２３の両側に送風ファン２３からの送風を上方の空間２０内の幅方向全域に効率的に案内する案内手段としての案内板２８をそれぞれ配設した点にある。案内板２８は、垂直部２８ａと、該垂直部２８ａの上端に延設されその先端が側壁１３、１４内面に当接する傾斜部２８ｂ等で構成され、この案内板２８で送風ファン２３の両側部分に形成される空間を仕切ることにより、遮蔽板１９後方の空間２０で送風ファン２３からの送風の流路となる空間２０がより気密性を維持するようになっている。
【００３２】
この実施形態の家電収納棚５においても、送風ファン２３の送風で天板内面１５ａの結露防止が図れる等、上記実施形態と同様の作用効果が得られる他に、案内板２８により送風ファン２３からの送風を空間２０内において幅方向全域に良好に流すことができると共に、特にキャビネット１２の幅寸法が大きい場合に、送風ファン２３からの送風を空間２０の全域に満遍なく行き渡らせて、送風口２１からの吹出し状態を良好に設定し得るという作用効果が得られる。
【００３３】
また、図６に示す家電収納棚５の特徴は、遮蔽板１９の下端をキャビネット１２の底板１６から寸法Ｈの高さ位置に設定することで、前記空間２０を背板１７の上部側に設けると共に、この空間２０の下部に送風ファン２３を配設した点にある。そして、空間２３の下端が下方に開口することから、この開口２９を吸込口として利用し、送風ファン２３の作動で図６の矢印ヘの如くキャビネット１２内の空気を吸い込んで、空間２０内で加圧状態としつつ送風口２１からキャビネット１２内に吹き出すように設定する。この時、遮蔽板１９と底板１６間の寸法Ｈは、キャビネット１２や送風ファン２３の送風容量等に応じて適宜に設定され、遮蔽板１９は、例えばその左右幅方向の両端部に設けた取付部３０等を側板１３、１４等に固定することによってキャビネット１２に取り付けられている。
【００３４】
この実施形態においても、送風ファン２３による送風で天板内面１５ａへの結露が防止される等、上記実施形態と同様の作用効果が得られる他に、空間２０の下端の開口２９が吸込口として機能することから遮蔽板１９の下部に前記吸込口２２を別途形成する必要がなくなり、キャビネット１２内を正面から見た場合のデザイン性の向上が図れると共に、底板１６の略全面を棚板として使用できるという作用効果が得られる。
【００３５】
なお、本発明は上記した各実施形態のそれぞれに限定されるものではなく、例えば図３に示す実施形態と図５に示す実施形態を組み合わせる等、各実施形態の一部や全部を適宜に組み合わせることもできる。また、上記各実施形態において、空間２０の上部で天板内面１５ａと背板１７の角部に従来のような側面視円弧形状の送風カバーを設けて、空間２０内からキャビネット１２内への送風をスムーズに行うように構成することもできる。
【００３６】
さらに、上記各実施形態においては、送風口２１が遮蔽板１９の上端部１９ｂと天板内面１５ａとの間に形成されるスリット状の開口である場合について説明したが、例えば遮蔽板１９の上端部１９ｂ自体にスリット状の開口や適宜形状の孔を形成することで送風口とすることもできるし、吸込口２２の形状もスリットや開口に限らず、円形、楕円形等の適宜形状の孔や開口を使用することができる。また、上記各実施形態における、家電ストッカー２への家電収納棚５の配置位置、使用する家電製品の種類、家電ストッカー２やシステムキッチン１自体の構成、送風ファン２３の取付位置、遮蔽板１９の形状等も一例であって、例えばキャビネット１２の大きさ等に応じ本発明の要旨を逸脱しない範囲において適宜に変更することができる。
【００３７】
【発明の効果】
以上詳述したように、請求項１に記載の発明によれば、背板と遮蔽板とで形成される空間の上部に送風口を設けると共に空間の下部に送風手段を配設し、該送風手段の作動により空間内を加圧状態とさせつつ送風口から開口部に向けてキャビネット内に送風するため、送風手段の送風を空間を利用して送風口から良好な状態で吹き出しできて、天板内面への結露を確実に防止することができる。
【００３８】
また、請求項２に記載の発明によれば、請求項１に記載の発明の効果に加え、空間が上部の送風口と下部の吸込口とでキャビネット内に連通する略密閉空間とされているため、送風手段による送風を空間によって良好に加圧状態としつつ送風口から確実に吹き出すことができる。
【００３９】
また、請求項３に記載の発明によれば、請求項１または２に記載の発明の効果に加え、送風手段による送風の吹出口が遮蔽板と天板との間に形成されたスリット状の開口であるため、送風口のスリット幅を所定に設定することで、空間で加圧状態とされた送風を開口の全域から開口部に向けてキャビネット内に確実かつ良好に吹き出すことができる。
【００４０】
また、請求項４に記載の発明によれば、請求項１ないし３に記載の発明の効果に加え、送風手段が所定幅を有して遮蔽板の幅方向の略中央位置に１台配設されているため、例えば各種幅寸法のキャビネットへ容易に対応し得ると共に、送風手段の使用個数を最小個数として、家電収納棚のコストダウンを図ったり消費電力を少なくして省エネ化を図ることができる。
【００４１】
また、請求項５に記載の発明によれば、請求項１ないし４に記載の発明の効果に加え、空間の下部に送風手段からの送風を空間の幅方向全域に導く案内手段が配設されているため、送風手段の幅がキャビネット幅に比較して狭い場合等に、送風手段の両側に案内手段を配設することにより、送風を空間の幅方向全域に効果的に導くことができて、空間内における良好な加圧状態が得られる等の効果を奏する。
【図面の簡単な説明】
【図１】本発明に係わる家電収納棚を使用したシステムキッチンの要部斜視図
【図２】同その縦断面図
【図３】同家電収納棚の正面図
【図４】同その縦断面図
【図５】本発明に係わる家電収納棚の他の実施形態を示す要部の縦断面図
【図６】本発明に係わる家電収納棚のさらに他の実施形態を示す縦断面図
【図７】従来の家電収納棚の正面図
【図８】同その縦断面図
【符号の説明】
１・・・・・・・・・システムキッチン
２・・・・・・・・・家電ストッカー
３、４・・・・・・・食器・食品ストッカー
５・・・・・・・・・家電収納棚
６・・・・・・・・・レンジ収納棚
７・・・・・・・・・電気炊飯器
８・・・・・・・・・電気ポット
１０・・・・・・・・ダストボックスワゴン
１２・・・・・・・・キャビネット
１３、１４・・・・・側板
１５・・・・・・・・天板
１５ａ・・・・・・・天板内面
１６・・・・・・・・底板
１７・・・・・・・・背板
１９・・・・・・・・遮蔽板
２０・・・・・・・・空間
２１・・・・・・・・送風口
２２・・・・・・・・吸込口
２３・・・・・・・・送風ファン
２３ａ・・・・・・・ファン
２３ｂ・・・・・・・ファンモータ
２４・・・・・・・・電源コンセント
２８・・・・・・・・案内板
２９・・・・・・・・開口
【図１】
2004275246.tif 000003
【図２】
2004275246.tif 000004
【図３】
2004275246.tif 000005
【図４】
2004275246.tif 000006
【図５】
2004275246.tif 000007
【図６】
2004275246.tif 000008
【図７】
2004275246.tif 000009
【図８】
2004275246.tif 000010